(57)【要約】【課題】  高い抗菌性を有し、毒性が無く使用者に対して安全性が高い酸性の低ホルムアルデヒド木酢液を提供する。【解決手段】  低ホルムアルデヒド木酢液は、ホルムアルデヒド濃度が５ｐｐｍ（Ｗ／Ｖ）未満であり、ｐＨが酸性のものである。ホルムアルデヒド濃度が極めて低いため毒性が無く、使用に際しての安全性が高い。また、ｐＨが酸性であり高い抗菌性を有している。そのため、防腐剤や消毒剤、制菌剤、殺菌剤などに好ましく用いることができる。【選択図】  なし【特許請求の範囲】
【請求項１】
ホルムアルデヒド濃度が５ｐｐｍ（Ｗ／Ｖ）未満であることを特徴とする酸性の低ホルムアルデヒド木酢液。
【発明の詳細な説明】
【技術分野】
【０００１】
本発明は、低ホルムアルデヒド木酢液に関する。
【背景技術】
【０００２】
木酢液は、植物原料から炭を製造する際に発生する煙を冷却、凝縮して得た水溶性の液体（原液）であり、原液の状態で販売されている。木酢液には、酢酸やギ酸などの有機酸、ホルムアルデヒドなど２００種類以上の有機化合物が含まれる。木酢液は、有機酸を含有するためｐＨは酸性を呈し、微生物に対して抗菌効果を有する。なお、木酢液にはクレオソートなどに代表される抗菌成分も含まれている。
さらに、原液状態の木酢液は、展着剤としての作用も有する芳香族化合物などの木タールを含む。この木タールは、塗布・散布対象への木酢液の付着を容易にするため、木酢液は高い抗菌性を発揮する。
このように多様な成分を含み抗菌性に優れる酸性の木酢液は、農業資材として土壌改良剤や植物活性剤などに、日用品の分野では防腐剤や消毒剤、制菌剤、殺菌剤などに用いられている。また、通常、酸性の木酢液は、使用者が必要に応じて希釈して使用しているものである。
【０００３】
木酢液は、毒性のあるホルムアルデヒドを１０〜１０００ｐｐｍ（Ｗ／Ｖ）程度の濃度で含んでいる。ホルムアルデヒドは、非常に揮発しやすいため、木酢液を塗布、散布して使用した場合、使用場所（特に室内、密閉空間、ビニールハウス）において、空気中ホルムアルデヒド濃度が高まり、人体に害を及ぼすおそれがあった。この問題を解決するために、木酢液中のホルムアルデヒドを低減する方法が提供されている（例えば特許文献１）。
【先行技術文献】
【特許文献】
【０００４】
【特許文献１】特開２０１２−１８８４７１号公報
【発明の概要】
【発明が解決しようとする課題】
【０００５】
特許文献１の木酢液中のホルムアルデヒドを低減する方法は、木酢液を塩基性にし、尿素を添加することにより、木酢液中のホルムアルデヒドとフェノール類を付加反応させ、ホルムアルデヒド濃度を数ｐｐｍ（Ｗ／Ｖ）まで低減するものである。
【０００６】
しかし、特許文献１の木酢液中のホルムアルデヒドを低減する方法では、木酢液に大量のアルカリを添加し木酢液を塩基性とするため、木酢液は抗菌性を有しないものになる。
また、塩基性の木酢液を酸性に戻すことにより抗菌性を得ることも可能であるが、この場合、大量の酸を添加する必要があり、木酢液が希釈されることになる。木酢液が希釈された場合、木タールといった展着成分まで希釈されるため、原液が有していた優れた抗菌性が損なわれる。従って、特許文献１の木酢液中のホルムアルデヒドを低減する方法で得られる木酢液に酸を添加し酸性に戻しても、すでに希釈されている木酢液は使用者が必要に応じて使用できる範囲が狭くなるおそれがあり、また、従来のように農業資材や日用品として使用しても木酢液に期待する効果を十分に得られないおそれがあった。
【０００７】
本発明は、上記問題を解決するものであって、使用時において毒性のない、木酢液原液の組成がほとんど変わることなく保持された低ホルムアルデヒド木酢液を提供するものである。
【課題を解決するための手段】
【０００８】
本発明の低ホルムアルデヒド木酢液は、ホルムアルデヒド濃度が５ｐｐｍ（Ｗ／Ｖ）未満であり、ｐＨが酸性の木酢液である。
【発明の効果】
【０００９】
本発明の低ホルムアルデヒド木酢液は、ホルムアルデヒド濃度が５ｐｐｍ（Ｗ／Ｖ）未満のものである以外は、木酢液原液の組成がほとんど変わることなく保持されているものである。これにより、使用に際して毒性が無く、抗菌性を有する木酢液の原液を提供することができる。
【発明を実施するための形態】
【００１０】
本発明は、使用時において毒性が無く、抗菌性を有する低ホルムアルデヒド木酢液を提供することを実現するものである。
【実施例】
【００１１】
本発明の低ホルムアルデヒド木酢液について説明する。本発明の低ホルムアルデヒド木酢液は、ホルムアルデヒド濃度が５ｐｐｍ（Ｗ／Ｖ）未満であり、ｐＨが酸性のものである。本発明の低ホルムアルデヒド木酢液は、ホルムアルデヒド濃度が極めて低いため、使用時において安全なものである。さらに、木酢液原液の組成がほとんど変わることなく保持されており、ｐＨは酸性であり、原液と同様に高い抗菌性を有する。なお、本発明の木酢液は、竹酢液を含む概念である。
【００１２】
次に、本発明の低ホルムアルデヒド木酢液を試験例によって説明する。
（試験例１）
市販の木酢液（合同会社ツリーワーク製）のホルムアルデヒド濃度を測定したところ、１７９ｐｐｍ（Ｗ／Ｖ）（＝６ｍｍｏｌ／Ｌ）であった。この木酢液のｐＨは２．９であった。
上記木酢液の原液から２０ｍＬずつ３回取出し、それぞれ試験液Ａ、試験液Ｂ及び試験液Ｃの試験液とした。試験液Ａ〜Ｃのそれぞれに、Ｌ−トリプトファン（関東化学株式会社製）を終濃度が３ｍｍｏｌ／Ｌ（試験液Ａ）、６ｍｍｏｌ／Ｌ（試験液Ｂ）、１２ｍｍｏｌ／Ｌ（試験液Ｃ）になるように添加した。添加後、各試験液を撹拌してトリプトファンを溶解し、２０℃の恒温器に一定期間（７日間）放置した状態で、試験液中のホルムアルデヒド濃度の経時変化を測定した。
【００１３】
（ホルムアルデヒド濃度の測定）
試験液中のホルムアルデヒド濃度は、以下のように測定した。まず、試験液から一定量採取し、不溶性ポリクラールＡＴ（和光純薬工業株式会社製）を加えて撹拌した後、遠心分離し、分析を阻害するポリフェノールを不溶性ポリクラールＡＴに吸着して沈殿除去した。ホルムアルデヒドを含む上清を、アセチルアセトン、酢酸アンモニウム及び酢酸から調整した発色液と混合し、６０℃で１５分間加温した。その後、発色した混合液の吸光度（波長４１２ｎｍ）を、上清に発色液の代わりに純水を同量加えた混合液を対照に分光光度計（日立製作所製、Ｕ−３４１０型）により測定した。
なお、上記測定では、事前に、試薬ホルムアルデヒド（関東化学株式会社製）を標準物質として、３００ｐｐｍ（Ｗ／Ｖ）から５ｐｐｍ（Ｗ／Ｖ）までの検量線を作成しておき、この検量線を用いて吸光度からホルムアルデヒド濃度を算出した。また、５ｐｐｍ（Ｗ／Ｖ）未満の濃度は０ｐｐｍ（Ｗ／Ｖ）と表記することとした。従って、上記測定において、ホルムアルデヒド濃度０ｐｐｍ（Ｗ／Ｖ）は、ホルムアルデヒド濃度５ｐｐｍ（Ｗ／Ｖ）未満を意味するものである。
【００１４】
（試験例１の結果）
表１に、試験液Ａ〜Ｃにトリプトファンを添加した後のホルムアルデヒド濃度の経時変化を示す。
【００１５】
【表１】
2018203852.tif 000002
【００１６】
表１の試験結果によると、試験液Ａ〜Ｃのいずれにおいても、トリプトファンを添加後は時間経過と共にホルムアルデヒド濃度が減少することが分かった。トリプトファン添加から１日目のホルムアルデヒド濃度は、試験液Ａでは約３５％、試験液Ｂでは約６３％減少したが、試験液Ｃでは約９３％も減少した。その後も、各試験液のホルムアルデヒド濃度は減少したが、試験液Ｃのみが、７日経過後に０ｐｐｍ（Ｗ／Ｖ）になった。これにより、ホルムアルデヒド濃度（６ｍｍｏｌ／Ｌ）の２倍に相当する終濃度１２ｍｍｏｌ／Ｌのトリプトファンを添加することにより、木酢液中のホルムアルデヒドを除去でき、低ホルムアルデヒド木酢液を調製できることが分かった。なお、本試験における濃度測定では、０ｐｐｍ（Ｗ／Ｖ）の木酢液は、ホルムアルデヒド濃度５ｐｐｍ（Ｗ／Ｖ）未満の木酢液である。
また、ホルムアルデヒド濃度０ｐｐｍ（Ｗ／Ｖ）の試験液Ｃ（本発明の低ホルムアルデヒド木酢液）は希釈されていないもの（木酢液原液の組成がほとんど変わることなく保持されている木酢液）であり、ｐＨに変化はなく２．９の酸性の木酢液（抗菌性を有する木酢液）であった。
【００１７】
なお、木酢液中のホルムアルデヒドとトリプトファンはモル比１：１で重合し、重合生成物は沈殿物として木酢液から除去することができる。このとき、未反応のトリプトファンは木酢液に溶解した状態で含まれている。また、本発明で用いるトリプトファンはＬ−体（ＣＡＳ登録番号７３−２２−３）、Ｄ−体（ＣＡＳ登録番号１５３−９４−６）のいずれでもよい。
【００１８】
（試験例２）
市販の竹酢液（アイリスオーヤマ株式会社製）を用いた試験を行った。竹酢液のホルムアルデヒド濃度を測定したところ３４．７ｐｐｍ（Ｗ／Ｖ）（＝１．２ｍｍｏｌ／Ｌ）であった。また、ｐＨは２．７であった。
上記竹酢液の原液から２０ｍＬ取出し、試験液とした。試験液に、Ｌ−トリプトファン（関東化学株式会社製）を終濃度が２．４ｍｍｏｌ／Ｌになるように添加した。添加後、試験例１と同様に、試験液を撹拌してトリプトファンを溶解し、２０℃の恒温器に放置した状態で、２４時間後に試験液中のホルムアルデヒド濃度を測定したところ、試験液のホルムアルデヒド濃度は０ｐｐｍ（Ｗ／Ｖ）であった。これにより、ホルムアルデヒド濃度（１．２ｍｍｏｌ／Ｌ）の２倍に相当する終濃度２．４ｍｍｏｌ／Ｌのトリプトファンを添加することにより、木酢液（竹酢液）中のホルムアルデヒドを除去でき、竹酢液を出発材料としても低ホルムアルデヒド木酢液（竹酢液）を調製できることが分かった。なお、本試験では、試験例１の試験液Ｃと同様に、試験液（竹酢液）のホルムアルデヒド濃度（１．２ｍｍｏｌ／Ｌ）の２倍に相当する終濃度２．４ｍｍｏｌ／Ｌのトリプトファンを添加した。
また、ホルムアルデヒド濃度０ｐｐｍ（Ｗ／Ｖ）の試験液（本発明の低ホルムアルデヒド木酢液（竹酢液））は希釈されていないもの（竹酢液原液の組成がほとんど変わることなく保持されている竹酢液）であり、ｐＨに変化はなく２．７の酸性の木酢液（抗菌性を有する竹酢液）であった。
【００１９】
以上のように、本発明の低ホルムアルデヒド木酢液は、ホルムアルデヒドを含む木酢液にトリプトファンを添加し、一定期間ホルムアルデヒドとトリプトファンを反応させることにより得ることができる。
本発明の低ホルムアルデヒド木酢液は、ホルムアルデヒドが除かれる又は低減される以外は、トリプトファン添加前の木酢液原液の組成とほとんど変わりなく、ｐＨにも変化がないものである。
従って、本発明の低ホルムアルデヒド木酢液は、トリプトファン添加前の木酢液原液と同様、抗菌性を保持するものであり、使用に際してホルムアルデヒドが揮発しないものであるか、もしくは揮発しても人体に影響を及ぼすおそれがないものである。
また、本発明の低ホルムアルデヒド木酢液では、木タールは変化しないため、木タールの展着性が維持され、高い抗菌性を有するものになる。また、木タール自体が持つ抗菌性も維持される。